(57)【要約】  音響装置は、操作子を有する音響装置の操作手順を通知する操作手順通知部（３４４）と、通知された音響装置の操作手順に基づく、音響装置の操作結果を検出する操作結果検出部（３４５）と、操作手順通知部（３４４）により通知された操作手順、および操作結果検出部（３４５）により検出された操作結果を照合する操作照合部（３４６）と、操作照合部（３４６）により照合された照合結果を通知する照合結果通知部（３４７）と、を備える。
2019239486.tif 000002
【特許請求の範囲】
【請求項１】
操作子を有する音響装置の操作手順を通知する操作手順通知部と、
通知された前記音響装置の操作手順に基づく、前記音響装置の操作結果を検出する操作結果検出部と、
前記操作手順通知部により通知された操作手順、および前記操作結果検出部により検出された操作結果を照合する操作照合部と、
前記操作照合部により照合された照合結果を通知する照合結果通知部と、
を備える音響装置。
【請求項２】
請求項１に記載の音響装置において、
前記音響装置と連動するソフトウェアを備え、前記操作手順通知部、前記操作結果検出部、および照合結果通知部は、前記ソフトウェアと連動する音響装置。
【請求項３】
請求項１または請求項２に記載の音響装置において、
前記操作手順通知部による操作手順の通知に応じて、前記音響装置の操作すべき操作子を、操作者に認識させる操作子認識部を備えている音響装置。
【請求項４】
請求項１から請求項３のいずれか一項に記載の音響装置において、
前記操作子は、連続的に調整可能な操作子であり、
前記操作照合部は、通知された操作手順により通知された前記操作子の調整に対して、前記操作結果検出部により検出された前記操作子の調整が、所定の範囲内のずれであるときには、操作手順通りに操作されたと判定する音響装置。
【請求項５】
請求項１から請求項４のいずれか一項に記載の音響装置において、
前記音響装置は、音響再生装置および音響制御装置を含む音響装置。
【請求項６】
請求項１から請求項５のいずれか一項に記載の音響装置において、
前記音響装置は、音響装置本体と、音響装置本体に双方向通信可能に接続されるコンピュータとを備え、
前記操作手順通知部は、前記音響装置本体の表示部、および前記コンピュータの表示部の少なくともいずれかに、画像を表示させることにより操作手順を通知する音響装置。
【請求項７】
請求項６に記載の音響装置において、
前記操作手順通知部は、前記音響装置本体の表示部、および前記コンピュータの表示部の少なくともいずれかに、音声を出力させることにより操作手順を通知する音響装置。
【請求項８】
コンピュータを請求項１に記載の音響装置として機能させるコンピュータ読み取り可能なプログラム。
【発明の詳細な説明】
【技術分野】
【０００１】
本発明は、音響装置およびプログラムに関する。
【背景技術】
【０００２】
近年、ＤＪプレーヤー、ＤＪコントローラ等の音響装置は、再生する楽曲に対して行うエフェクト等の増加、再生デッキ数の増加等に伴い、操作するつまみやレバーが増加し、また、１つの操作つまみ等で多機能の効果を実現することもあり、操作手順も複雑化している。
この場合、デジタルビデオカメラ等の他の電子機器と同様に、音響装置の多機能化、操作手順の複雑化に応じて、チュートリアルビデオ等を利用して操作手順を、操作者に学習してもらうことが行われている。【０００３】
たとえば、特許文献１には、デジタルビデオ等の記録再生装置において、操作手順を示す画像を画面上に表示して、操作者が表示された操作手順通りに操作すると、操作手順に応じた制御処理が実行される技術が開示されている。
これにより、説明される操作を実際に実行して操作者に提示することが可能となるため、操作者は操作を体感しながら理解することができ、より効果的な操作の習得を実現できる、という効果がある。
【先行技術文献】
【特許文献】
【０００４】
【特許文献１】特開２００５−３１８４１０号公報
【発明の概要】
【発明が解決しようとする課題】
【０００５】
しかしながら、前記特許文献１に記載の技術では、単純な操作ボタンのオン、オフに基づく制御処理を実行するには問題ないが、ＤＪコントローラのような音響装置では、操作つまみ等を無段階で回転させて行う操作も含まれている。操作者は、どの程度の回転量であれば、操作手順通りに操作つまみを回転したかどうかを判断することができない場合がある。【０００６】
本発明の目的は、操作手順にしたがって、操作者が音響装置の操作子を操作したときに、その操作が操作手順通りに行ったものであるかを認識することのできる音響装置およびプログラムを提供することにある。
【課題を解決するための手段】
【０００７】
本発明の音響装置は、操作子を有する音響装置の操作手順を通知する操作手順通知部と、通知された前記音響装置の操作手順に基づく、前記音響装置の操作結果を検出する捜査結果検出部と、前記操作手順通知部により通知された操作手順、および前記捜査結果検出により検出された操作結果を照合する操作照合部と、前記操作照合部により照合された照合結果を通知する操作結果通知部と、を備える。
本発明のコンピュータ読み取り可能なプログラムは、コンピュータを前述した音響装置として機能させる。
【図面の簡単な説明】
【０００８】
【図１】本発明の実施の形態に係る音響装置を示す模式図。
【図２Ａ】前記実施の形態における操作子の構造を示す平面図。
【図２Ｂ】前記実施の形態における操作子の構造を示す断面図。
【図３】前記実施の形態における機能ブロック図。
【図４】前記実施の形態における作用を示すフローチャート。
【発明を実施するための形態】
【０００９】
以下、本発明の実施の一形態について説明する。図１には、本発明の実施の形態に係る音響装置１が示されている。音響装置１は、音響装置本体としてのＤＪコントローラ２、コンピュータ３、およびスピーカー４を備える。ＤＪコントローラ２およびコンピュータ３は双方向通信可能なＵＳＢケーブル５により双方向通信可能に接続されている。ＤＪコントローラ２およびスピーカー４は、アナログケーブル６により接続されている。
【００１０】
ＤＪコントローラ２は、操作者が操作をすることにより、音響制御装置としても機能し、コンピュータ３で再生中の楽曲に対して、スクラッチ、ループ再生、ＣＵＥ等の再生制御を行う。また、ＤＪコントローラ２は、再生中の楽曲データに対して、フェーズ、ノイズ等のエフェクト処理を行う。ＤＪコントローラ２は、左右に配置される２つのデッキ部２Ａと、２つのデッキ部２Ａの間に配置されるミキサー部２Ｂとを備える。
【００１１】
デッキ部２Ａは、操作者がＤＪコントローラ２を操作する主たる部分であり、コンピュータ３により再生中の楽曲データに対して、スクラッチ、ループ再生、キュー等の種々の特殊再生操作を行うことができる。
デッキ部２Ａは、ジョグダイヤル２１、テンポスライダー２２、キューボタン２３、プレイ／ポーズボタン２４、およびパフォーマンスパッド２５を備え、それぞれのデッキ部２Ａには、２チャンネルの音源を接続できるようになっている。
【００１２】
ジョグダイヤル２１は、回転操作子として機能し、操作者がジョグダイヤル２１を回転させることにより、再生中の楽曲データの速度を順方向に速めたり、逆転方向に回転させて逆転再生させたりすることができる。また、ジョグダイヤル２１は、順方向、逆方向の回転を繰り返すことにより、ＤＪパフォーマンス特有のスクラッチ再生を行うことができる。
テンポスライダー２２は、再生中の楽曲データの再生速度を調整するレバーであり、中央から上部にスライドさせると、再生速度が上昇し、下部にスライドさせると再生速度が低下する。
【００１３】
キューボタン２３は、操作者が操作することにより、楽曲データの再生開始位置をキューポイントとして設定することができる。具体的にはキューボタン２３が操作されると、楽曲データ中の所定の位置がキューポイントとして設定され、次回再生開始時には、設定されたキューポイントから再生が開始される。
プレイ／ポーズボタン２４は、操作者が操作することにより、再生中の楽曲データの再生の開始、停止を行うことができる。
パフォーマンスパッド２５は、操作者が操作することにより、再生中の楽曲データへの効果を切り替えることができる。たとえば、操作者がパフォーマンスパッド２５を操作することにより、再生中の楽曲データに対して、瞬間的にループ、キュー、キーシフト等の効果を付与することができる。
【００１４】
ミキサー部２Ｂは、操作者が操作することにより、左右のデッキ部２Ａから出力される出力音量レベルを調整したり、再生中の楽曲データに対して、コーラス、エコー、ノイズ等の種々の効果を付与することができる。
ミキサー部２Ｂは、エフェクト選択つまみ２６、エフェクト量調整つまみ２７、チャンネルフェーダー２８、およびクロスフェーダー２９を備える。
【００１５】
エフェクト選択つまみ２６は、操作者が回転操作することにより、楽曲データに対するエフェクト処理を選択することができる。選択できるエフェクト処理としては、たとえば、コーラス、エコー、ディストーション、ノイズ等である。
エフェクト量調整つまみ２７は、無段階で回転可能なつまみとして構成され、操作者が回転操作することにより、楽曲データに対するエフェクト処理の深さ、大きさを調整することができる。
【００１６】
チャンネルフェーダー２８は、操作者が操作することにより、デッキ部２Ａの各チャンネルにおける出力音量レベルを調整することができる。
クロスフェーダー２９は、左右のデッキ部２Ａから出力される楽曲データの出力音量レベルを切り替えるレバーである。
その他、ミキサー部２Ｂは、操作者が操作することにより、各チャンネルにおける高周波域、中周波域、低周波域における出力音量レベルを調整して音質を変化させることができるイコライザ調整つまみを備えている。
また、ＤＪコントローラ２は、再生中の楽曲データの進行状況を示す波形、キューポイント位置を表示する表示部３０を備える、
【００１７】
ＤＪコントローラ２を構成する調整つまみ、ボタン、パッド、レバーには、起動時に発光する発光部を備え、種々の発光色で発光することができるようになっている。たとえば効果量調整つまみ２７は、図２Ａ、図２Ｂに示すように、調整つまみ本体２７１、調整位置表示マーカー２７２、つまみ基部２７３、および導光体２７４を備える。
【００１８】
調整つまみ本体２７１は、黒色のゴム等の不透光性材料から構成される。
調整位置表示マーカー２７２およびつまみ基部２７３は、レンズ材料等の導光性材料から構成される。つまり、調整位置表示マーカー２７２およびつまみ基部２７３は、後述するＬＥＤ発光部２７８が発光することにより、発光色に応じて、調整つまみ本体２７１の周囲や、調整位置表示マーカー２７２を発光させる。
【００１９】
調整位置表示マーカー２７２は、調整つまみ本体２７１に形成された切欠部に挿入され、調整つまみ本体２７１を回転させた際の調整量を操作者に視認させる。
つまみ基部２７３は、調整つまみ本体２７１の底部に設けられ、調整つまみ本体２７１の回転に応じて回転する。また、つまみ基部２７３は、径方向外周端部が調整つまみ本体２７１の外側に突出している。
導光体２７４は、調整つまみ本体２７１を囲むリング状に設けられ、ＬＥＤ発光部２７８が発光することにより、発光色に応じて操作つまみ本体２７１の周囲を発光させる。
【００２０】
つまみ基部２７３の回転中心には、図２Ｂに示すように、回転軸２７５が設けられ、回転軸２７５の先端は、回路基板２７６上に設けられた回転抵抗器２７７に接続される。回転抵抗器２７７には、複数色に発光するＬＥＤ発光部２７８が隣接して設けられている。
ＬＥＤ発光部２７８は、赤色、緑色、青色を単独または組み合わせて発光することにより、さまざまな色に発光する。
【００２１】
コンピュータ３は、図１に示すように、ディスプレイ３１およびキーボード３２を備え、ＤＪコントローラ２と連動する楽曲再生ソフトウェアが実行されるとともに、本発明のコンピュータ読み取り可能なプログラムとしてのチュートリアルソフトウェアが実行される。なお、本実施の形態では、コンピュータ３をＵＳＢケーブル５によって接続していたが、本発明はこれに限られない。たとえば、ＤＪコントローラ２と無線通信可能なＰＤＡ（Personal Digital Assistant）をコンピュータ３の代わりとして用いてもよい。
図３には、コンピュータ３の機能ブロック図が示されている。コンピュータ３は、ハードディスク、ＳＤメモリ等の記憶装置３３、および演算処理装置３４を備える。
【００２２】
記憶装置３３は、楽曲データ記憶部３３１、楽曲再生ソフトウェア記憶部３３２、およびチュートリアルソフトウェア記憶部３３３を含む種々のソフトウェア、データが記憶されている。
楽曲データ記憶部３３１には、複数の楽曲データがＭＰＥＧ形式等の所定の形式で記憶されている。
【００２３】
楽曲再生ソフトウェア記憶部３３２には、楽曲データ記憶部３３１に記憶された楽曲データを再生するソフトウェアが記憶され、演算処理装置３４にロードされることにより、後述する楽曲データ再生部３４１、再生制御部３４２、楽曲データ出力部３４３が実行される。
チュートリアルソフトウェア記憶部３３３には、再生中の楽曲データの操作手順を通知するコンピュータ読み取り可能なチュートリアルソフトウェアが記憶されている。チュートリアルソフトウェアは、演算処理装置３４にロードされることにより、後述する操作手順通知部３４４、操作結果検出部３４５、操作照合部３４６、照合結果通知部３４７、および操作子認識部３４８が実行される。
【００２４】
楽曲データ再生部３４１は、楽曲データ記憶部３３１に記憶された複数の楽曲データから所望の楽曲データを選択して再生する。楽曲データの選択は、ディスプレイ３１上に表示された楽曲データの一覧から、操作者がキーボード３２を操作することにより行われる。
なお、再生する楽曲データは、楽曲データ記憶部３３１に記憶されたものばかりではない。たとえば、再生する楽曲データは、コンピュータ３に接続されたＵＳＢメモリ等に記憶された楽曲データから選択したものであってもよく、ＤＪコントローラ２のデッキ部２Ａに挿入されたＣＤ等に記憶された楽曲データから選択したものであってもよい。
【００２５】
再生制御部３４２は、操作者がＤＪコントローラ２を操作することにより、特殊操作、エフェクト処理を行った際、再生中の楽曲データに対して、特殊再生、エフェクトを付与する。操作者は、ＤＪコントローラ２を操作することにより、再生中の楽曲データに対して、スクラッチ、ループ、エフェクト等の特殊効果を付与することができる。
楽曲データ出力部３４３は、再生制御部３４２によって付与された特殊操作、エフェクト処理を行った結果を、ＤＪコントローラ２に出力する。
ＤＪコントローラ２のミキサー部２Ｂでは、デジタル−アナログ変換を行った後、アナログケーブル６を介して、スピーカー４から音声出力する。
【００２６】
操作手順通知部３４４は、ＤＪコントローラ２の操作手順となるチュートリアル画面を表示する。具体的には、操作手順通知部３４４は、操作者がＤＪコントローラ２を操作することにより、再生制御部３４２によって付与される特殊操作、エフェクト処理等の操作手順をディスプレイ３１上に表示する。なお、本実施の形態では、コンピュータ３には、スピーカーが内蔵されており、操作手順通知部３４４は、操作手順をディスプレイ３１上に表示するとともに、操作手順を音声でガイダンスする。
また、操作手順通知部３４４は、ＤＪコントローラ２がコンピュータ３に接続されていない状態では、これらの接続手順を表示するとともに、それぞれの初期設定の設定手順を表示する。
【００２７】
操作結果検出部３４５は、ディスプレイ３１上に表示された操作手順にしたがって、操作者がＤＪコントローラ２を操作した結果を検出する。ＤＪコントローラ２を操作した結果は、ＵＳＢケーブル５を介してコンピュータ３の再生制御部３４２に入力され、操作結果検出部３４５は、再生制御部３４２に入力される操作制御指令から操作結果を検出する。
【００２８】
操作照合部３４６は、操作手順通知部３４４によりディスプレイ３１上に表示された操作手順と、操作結果検出部３４５により検出されたＤＪコントローラ２を操作者が操作した結果を照合する。
操作照合部３４６は、操作手順通知部３４４により表示されている操作手順と、操作結果検出部３４５により検出された操作結果が同じ場合、操作者の操作結果が正しいと判定する。
ただし、前述した効果量調整つまみ２７の場合、無段階で回転調整可能となっているため、正確に操作手順に一致させることは困難である。そこで、本実施の形態では、操作手順で示された回転調整量に対して、たとえば、前後１０％以内の調整量であれば、操作者の操作結果が正しいと判定する。具体的には、効果量調整つまみ２７を５０の調整量に、４小節をかけて調整するという操作手順に対して、操作者が、効果量調整つまみ２７を４９の調整量に、３．９小節かけて調整した場合、操作結果を正しいと判定する。
【００２９】
照合結果通知部３４７は、操作照合部３４６により照合された結果を、ディスプレイ３１、ＤＪコントローラ２に通知する。
照合結果通知部３４７は、照合結果をディスプレイ３１上に操作手順を構成する各手順のアイコンの下に、正しい、間違い等の文字を表示して、操作者に視認させる。また、照合結果通知部３４７は、照合結果をＤＪコントローラ２に出力する。図２Ｂに示すＬＥＤ発光部２７８は、照合結果に応じた発光色により発光し、たとえば、照合結果が一致している場合には、緑色に発光し、一致していない場合には、赤色に発光する。
【００３０】
操作子認識部３４８は、操作手順通知部３４４によりディスプレイ３１上に表示された操作手順に応じて、ＤＪコントローラ２の次に操作すべき操作子を操作者に認識させる。
具体的には、操作子認識部３４８は、次に操作すべき操作子が効果量調整つまみ２７であった場合、ＬＥＤ発光部２７８を青色発光させる制御指令を出力し、操作者に効果量調整つまみ２７の操作を促す。
【００３１】
次に、本実施の形態の作用について、図４に示すフローチャートに基づいて説明する。
コンピュータ３の演算処理装置３４は、チュートリアルソフトウェア記憶部３３３からチュートリアルソフトウェアをロードし、チュートリアルソフトウェアの実行を開始する（手順Ｓ１）。
操作手順通知部３４４は、ＤＪコントローラ２とコンピュータ３との接続箇所や、マイク、ヘッドフォーンの接続箇所をディスプレイ３１上に表示し、操作者にこれらの接続手順を表示する（手順Ｓ２）。
【００３２】
操作手順通知部３４４は、すべての接続箇所が接続されるまで、接続手順の表示を継続し（手順Ｓ３）、すべての接続箇所が接続されたら、操作手順をディスプレイ３１上に表示する（手順Ｓ４）。合わせて操作子認識部３４８は、たとえば、ＤＪコントローラ２に操作すべき操作子のＬＥＤ発光部２７８に制御指令を出力し、次に操作すべき効果量調整つまみ２７を青色に発光させる（手順Ｓ５）。
操作結果検出部３４５は、操作者がＤＪコントローラ２を操作した結果を検出する（手順Ｓ６）。
【００３３】
操作照合部３４６は、ディスプレイ３１上に表示された操作手順と、操作結果検出部３４５により検出された操作者の操作結果の照合を行う（手順Ｓ７）。
操作照合部３４６は、すべての操作手順と操作結果の照合が終了したか否かを判定し（手順Ｓ８）、終了していない場合には、次の操作手順を手順Ｓ４によりディスプレイ３１上に表示する。
【００３４】
すべての操作手順と操作結果の照合が終了したら、照合結果通知部３４７は、ディスプレイ３１上に照合結果を表示する（手順Ｓ９）。
また、照合結果通知部３４７は、照合結果をＤＪコントローラ２に出力し、正しい操作が行われたつまみ、レバー等のＬＥＤ発光部を緑色に発光させ、誤った操作が行われたつまみ、レバー等のＬＥＤ発光部を赤色に発光させる。
【００３５】
本実施の形態によれば、以下のような効果がある。
操作手順通知部３４４によりディスプレイ３１上に表示された操作手順に基づいて、操作者がＤＪコントローラ２を操作した結果を操作結果検出部３４５により検出している。
そして、操作手順および操作結果を操作照合部３４６により照合して照合結果を、照合結果通知部３４７により操作者に通知している。したがって、操作者は、チュートリアル画像に示された操作手順に対して、自己の操作のどこに誤りがあったのかを認識することができるため、学んだ操作の進捗状況を自覚して、チュートリアルを行うことができる。
【００３６】
ＤＪコントローラ２と連動する楽曲再生ソフトウェアと、チュートリアルソフトウェアとが連動することにより、ＤＪコントローラ２の操作から再生制御信号を楽曲再生ソフトウェアでコンピュータ３上に取り込み、取り込まれた再生制御信号により操作結果を検出することができる。したがって、チュートリアルソフトウェアの処理を軽減することができるため、チュートリアルソフトウェアを軽くして、コンピュータ３の演算処理装置３４の処理負担を軽減することができる。
ディスプレイ３１上に表示された操作手順に応じて、ＤＪコントローラ２の操作すべき効果量調整つまみ２７等の操作子を、ＬＥＤ発光部２７８を所定の色で発光させて操作者に認識させることができるため、操作者にわかり易いチュートリアルを行うことができる。
【００３７】
効果量調整つまみ２７等の連続的に調整可能な操作子の調整量について、所定の範囲内のずれが生じても、操作照合部３４６が操作手順通りと判定している。したがって、操作手順と操作結果との照合に許容範囲を持たせて、操作者に対する照合結果の通知を、期待する操作手順に近い状態でフィードバックすることができる。
操作手順通知部３４４による操作手順が、コンピュータ３のディスプレイ３１上に表示されるだけでなく、音声でも通知されているので、操作者は、音声ガイダンスを聞きながらチュートリアルを行えるため、チュートリアルソフトウェアによる学習をより実践的に行うことができる。
【００３８】
なお、本発明は、前述した実施の形態に限定されるものではなく、以下の変形をも含むものである。
前述の実施の形態では、操作手順通知部３４４による操作手順は、コンピュータ３のディスプレイ３１上に表示されていたが、本発明はこれに限られない。たとえば、ＤＪコントローラ２の表示部３０上に表示してもよい。この場合、楽曲データの進行とともにチュートリアルソフトウェアによる学習を行うことができるため、より実践的に学習を行うことができる。
前述の実施の形態では、ＤＪコントローラ２に設けられた効果量調整つまみ２７等の操作子の操作手順についてのチュートリアルを行っていたが、本発明はこれに限られない。チュートリアルソフトウェアと連動する楽曲再生ソフトウェアの画面上のボタン、つまみ等の操作子の操作手順についてチュートリアルを行ってもよい。
【００３９】
前述した実施の形態では、ＤＪコントローラ２およびコンピュータ３を接続して、音響装置を構成していたが、本発明はこれに限られない。たとえば、図１に示すデッキ部２Ａのみから構成されるＤＪプレーヤー等の音響再生装置に本発明を適用してもよい。
前述した実施の形態では、ＤＪコントローラ２およびコンピュータを接続して、音響装置を構成していたが、本発明はこれに限られない。ＤＪコントローラ２に、楽曲再生ソフトウェア、チュートリアルソフトウェアをインストールして、スタンドアローンで操作者の学習を実行するによりしてもよい。
【００４０】
前述の実施の形態では、操作手順通知部３４４は、通常の操作手順をディスプレイ３１上に表示していたが、本発明はこれに限られない。たとえば、操作者の利用場所や利用時間を加味して、操作手順の変更を行ってもよく。操作者へのフィードバックの内容を変更してもよい。
前述の実施の形態では、照合結果通知部３４７は、照合結果をディスプレイ３１に表示したり、ＤＪコントローラ２のＬＥＤ発光部２７８を赤色、緑色に発光させることにより、操作者にフィードバックしていたが、本発明はこれに限られない。たとえば、音声により照合結果を操作者に通知するようにしてもよい。また、これらの手段を組合わせてもよい。
その他、本発明の実施の際の具体的な部分、および構造等は、本発明の目的を達成出来る範囲で他の構造等としてもよい。
【符号の説明】
【００４１】
１…音響装置、２…ＤＪコントローラ、２Ａ…デッキ部、２Ｂ…ミキサー部、３…コンピュータ、４…スピーカー、５…ＵＳＢケーブル、６…アナログケーブル、２１…ジョグダイヤル、２２…テンポスライダー、２３…キューボタン、２４…ポーズボタン、２５…パフォーマンスパッド、２８…チャンネルフェーダー、２９…クロスフェーダー、３０…表示部、３１…ディスプレイ、３２…キーボード、３３…記憶装置、３４…演算処理装置、２７１…調整つまみ本体、２７２…調整位置表示マーカー、２７３…基部、２７４…導光体、２７５…回転軸、２７６…回路基板、２７７…回転抵抗器、２７８…ＬＥＤ発光部、３３１…楽曲データ記憶部、３３２…楽曲再生ソフトウェア記憶部、３３３…チュートリアルソフトウェア記憶部、３４１…楽曲データ再生部、３４２…再生制御部、３４３…楽曲データ出力部、３４４…操作手順通知部、３４５…操作結果検出部、３４６…操作照合部、３４７…照合結果通知部、３４８…操作子認識部。
【図１】
2019239486.tif 000003
【図２Ａ】
2019239486.tif 000004
【図２Ｂ】
2019239486.tif 000005
【図３】
2019239486.tif 000006
【図４】
2019239486.tif 000007
【国際調査報告】
2019239486.tif 000008
2019239486.tif 000009